(57)【要約】【課題】２つの冷却器を備えた冷蔵庫において、除霜時における温度の安定性を高めることを目的とする。【解決手段】本発明は、冷蔵庫本体内に配置された第１、第２の冷却器（２，３）と、この第１、第２の冷却器（２，３）に夫々対応する第１、第２の送風ファン（４，５）と、この第１、第２送風ファン（４，５）により夫々冷気が供給される第１、第２貯蔵室（６，７）と、前記第２の冷却器（３）に対応して設けられた除霜ヒータ（９）と、前記第２の冷却器（３）の除霜時に前記第１の送風ファン（４）による前記第１の冷却器（２）からの冷気を前記第２貯蔵室（７）に供給する冷気流路変更手段（１０，１１）とを備える。【選択図】　　図２
2004125311.tif 000002
【特許請求の範囲】
【請求項１】
冷蔵庫本体内に配置された第１、第２の冷却器（２，３）と、
この第１、第２の冷却器（２，３）に夫々対応する第１、第２の送風ファン（４，５）と、
この第１、第２送風ファン（４，５）により夫々冷気が供給される第１、第２貯蔵室（６，７）と、
前記第２の冷却器（３）に対応して設けられた除霜ヒータ（９）と、
前記第２の冷却器（３）の除霜時に前記第１の送風ファン（４）による前記第１の冷却器（２）からの冷気を前記第２貯蔵室（７）に供給する冷気流路変更手段（１０，１１）とを備えることを特徴とする冷蔵庫。
【発明の詳細な説明】
【０００１】
【発明の属する技術分野】
本発明は、２つの冷却器を有する冷蔵庫に関し、特に除霜時の冷気の循環に関するものである。
【０００２】
【従来の技術】
従来の２つの冷却器を有する冷蔵庫（２エバシステム冷蔵庫）としては、例えば図９に示すような独立した２つの冷気循環回路を有するものがある。
【０００３】
この冷蔵庫１は、圧縮機で圧縮した冷媒を放熱させた後に、冷蔵室用の冷却器２と冷凍室用の冷却器３にそれぞれ導入、蒸発させることにより、冷却器２、３の周辺の空気を冷却し、この冷気を送風ファン４，５により、冷蔵室６（野菜室を含む）と冷凍室７とに循環させることにより、冷蔵室６と冷凍室７とを別々に冷却するようになっている。
【０００４】
即ち、冷蔵室６の冷却方法は、冷媒を冷蔵室用の冷却器２内で蒸発させ、蒸発熱を利用して冷蔵室用の冷却器２を冷却する。次に冷蔵室用の送風ファン４で気流を発生させ、冷却された冷蔵室用の冷却器２の冷気を、冷蔵室６に吐出することにより冷蔵室６を冷却する。
【０００５】
一方、冷凍室７の冷却方法は、冷媒を冷凍室用の冷却器３に導き、ここで冷媒を蒸発させて冷却し、冷凍室用の送風ファン５で冷気を冷凍室７に導入することにより冷却する。
【０００６】
このように、２エバシステムの冷蔵庫は、冷蔵室用の冷却器２と冷凍室用の冷却器３との役割が決まっているため、互いに独立した冷気循環回路を備えている。
【０００７】
そして、この冷却器２，３の除霜時は、除霜ヒータ８，９に通電して、冷却器２，３を熱して除霜している。
【０００８】
なお、このような２エバシステムの冷蔵庫は、種々提案されている（例えば、特許文献１、２参照）。
【０００９】
【特許文献１】
特開２００１−４１６３８号公報
【特許文献２】
特開２００２−６２０２６号公報
【００１０】
【発明が解決しようとする課題】
当然、この冷蔵庫では、除霜時には、冷蔵庫の貯蔵室の冷却は行うことはできなかった。本発明は、２つの冷却器２，３を有効利用することにより、除霜時も貯蔵室を冷却できる冷蔵庫を提供することを目的とする。
【００１１】
【課題を解決するための手段】
本発明は、冷蔵庫本体内に配置された第１、第２の冷却器２，３と、この第１、第２の冷却器２，３に夫々対応する第１、第２の送風ファン４，５と、この第１、第２送風ファン４，５により夫々冷気が供給される第１、第２貯蔵室６，７（冷蔵室、冷凍室）と、前記第２の冷却器３に対応して設けられた除霜ヒータ９と、前記第２の冷却器３の除霜時に前記第１の送風ファン４による前記第１の冷却器２からの冷気を前記第２貯蔵室７に供給する冷気流路変更手段１０，１１とを備えることを特徴とする。
【００１２】
【発明の実施の形態】
本発明の一実施形態を図１、図２に基づいて説明する。
【００１３】
本発明の冷蔵庫の本体は、外箱と内箱と両箱間に充填された発泡ポリウレタン等の断熱材とから構成され、前方に開口した断熱箱体から構成されている。
【００１４】
内箱は上下の仕切壁にて区画され、冷蔵室（野菜室を含む）、冷凍室等の貯蔵室が形成される。夫々の貯蔵室の後部が背面板にて前後に区画され、後側に冷却器２，３と送風ファン４，５とを有する冷却室が区画形成されている。
【００１５】
図１、図２は本発明の一実施形態における冷気循環回路図である。
【００１６】
図１において、この冷蔵庫１は、圧縮機で圧縮した冷媒を放熱させた後に、冷蔵室用の冷却器２と冷凍室用の冷却器３にそれぞれ導入、蒸発させることにより、冷却器２、３の周辺の空気を冷却し、この冷気を送風ファン４，５により、冷蔵室６（野菜室を含む）と冷凍室７とに循環させることにより、冷蔵室６と冷凍室７とを別々に冷却するようになっている。
【００１７】
即ち、冷蔵室６の冷却方法は、冷媒を冷蔵室用の冷却器２内で蒸発させ、蒸発熱を利用して冷却器２を冷却する。次に冷蔵室用の送風ファン４で気流を発生させ、冷却された冷却器２の冷気を、冷蔵室６に吐出することにより冷蔵室６を冷却する。
【００１８】
一方、冷凍室７の冷却方法は、冷媒を冷凍室用の冷却器３に導き、ここで冷媒を蒸発させて冷却し、冷凍室用の送風ファン８で冷気を冷凍室７に導入することにより冷却する。
【００１９】
このように、２エバシステムの冷蔵庫は、両貯蔵室６，７の冷却モード時には、冷蔵室用の冷却器２と冷凍室用の冷却器３との役割が決まっているため、互いに独立した冷気循環回路を備えている。
【００２０】
この冷却器２，３の除霜時には、除霜ヒータ８，９に通電して、冷却器２，３を熱して除霜している。
【００２１】
冷気通路切替装置１０、１１は、冷気の流れる通路を切り換える。
【００２２】
図１は、両貯蔵室の冷却モード時である。このときは、両方の冷却器２，３に冷媒が流され、両方の送風ファン４，５が駆動される。このとき、冷却器２の冷気は送風ファン４により冷蔵室６に供給される。また、冷却器３の冷気は送風ファン５により冷凍室７に供給される。除霜ヒータ８，９はオフであり、冷気通路切替装置１０、１１は、図１の如く冷気通路を形成している。
【００２３】
図２は、冷却器３の除霜モードである。このときは、冷却器２に冷媒が流され、冷却器３には冷媒は流れていない。送風ファン４は駆動され、送風ファン５はオフである。除霜ヒータ９は駆動されて発熱し、冷却器３の着霜は除かれる。
除霜ヒータ８はオフである。
【００２４】
冷気通路切替装置１０、１１は、図２の如く、冷気流路を切り換えている。そのため、冷却器２の冷気は送風ファン４により冷凍室７に供給される。
このように、本実施形態では、冷凍室（第２の貯蔵室）用の冷却器３の除霜時に、冷蔵室（第１の貯蔵室）用の冷却器２からの冷気を冷凍室（第２の貯蔵室）７に供給するようにしたので、冷凍室（第２の貯蔵室）用の冷却器３の除霜時であっても、冷凍室（第２の貯蔵室）を冷却することができる。
【００２５】
尚、本実施形態では、冷凍室用の冷却器３の除霜時に、冷蔵用の冷却器２からの冷気を冷凍室７に供給するようにしたが、本願は、冷蔵室用の冷却器２の除霜時に、冷凍用の冷却器３からの冷気を冷蔵室６に供給するように冷気通路切替装置を配置設計するようにしてもよい。またその両方でもよい。
また、本実施形態では、貯蔵室は冷凍室と冷蔵室であるが、本願はこれに限定されるわけではない。
【００２６】
【発明の効果】
以上説明したように、本発明によれば、一方の冷却器が除霜中であっても、貯蔵室を冷却することが出来、貯蔵室の温度の安定性を高めることができる。
【図面の簡単な説明】
【図１】本発明の一実施形態における冷気循環回路図である。
【図２】一実施形態における冷気循環回路図である。
【図３】従来の冷気循環回路図である。
【符号の説明】
１　冷蔵庫、
２　冷蔵室用の冷却器（第１の冷却器）、
３　冷凍室用の冷却器（第２の冷却器）、
４　冷蔵室用の送風ファン（第１の送風ファン）、
５　冷凍室用の送風ファン（第２の送風ファン）、
６　冷蔵室（第１の貯蔵室）、
７　冷凍室（第２の貯蔵室）、
８　除霜ヒータ、
９　除霜ヒータ（第２の冷却器に対応する除霜ヒータ）、
１０　冷気通路切替装置（冷気流路変更手段）、
１１　冷気通路切替装置（冷気流路変更手段）。
【図１】
2004125311.tif 000003
【図２】
2004125311.tif 000004
【図３】
2004125311.tif 000005